(57)【要約】【課題】発光素子６１及び導光部材６５をそれぞれ単独で交換できるようにする。【解決手段】発光素子６１を有する光照射部５９はブラケット５７を介して第１キャリッジ１８の側壁３９に取り付けられるに対して、導光部材６５は、発光素子６１とは独立して別個に、第１キャリッジ１８の側板５５Ａ及びその反対側にある側板に取り付けられる。これにより、発光素子６１及び導光部材６５をそれぞれ単独で交換できる。【選択図】図４
2011024042.tif 000002
【特許請求の範囲】
【請求項１】
被読取面に沿って移動可能な移動体と、
前記移動体に取り付けられ、前記被読取面へ向けて発光する発光部と、
前記発光部とは独立して別個に前記移動体に取り付けられ、前記発光部からの光を前記被読取面へ向けて導光する導光部材と、
前記導光部材から前記被読取面へ導光されて前記被読取面で反射した反射光を検出する検出部と、
を備える画像読取装置。
【請求項２】
前記発光部は、前記移動体に着脱可能に取り付けられ、
前記導光部材は、前記発光部の着脱方向とは異なる方向へ着脱可能に前記移動体に取り付けられている請求項１に記載の画像読取装置。
【請求項３】
前記発光部を前記移動体に固定するための発光部固定部材と、
前記発光部固定部材の固定方向とは異なる方向へ前記導光部材を前記移動体に固定するための導光部材固定部材と、
を備える請求項１又は請求項２に記載の画像読取装置。
【請求項４】
請求項１〜３のいずれか１項に記載の画像読取装置と、
前記画像読取装置が読み取った画像に基づき、記録媒体に画像を記録する画像記録装置と、
を備える画像形成装置。
【発明の詳細な説明】
【技術分野】
【０００１】
本発明は、画像読取装置及び画像形成装置に関する。
【背景技術】
【０００２】
画像読取装置としては、特許文献１に開示される画像読取装置が公知である。特許文献１に開示される画像読取装置は、ＬＥＤから放出された光を導光体内でなるべく全反射条件で反射させ導光体出射面に導き、原稿面での短軸方向（副走査方向）の光強度を向上するとともに、導光体入射面の形状を最適化して、長軸方向（主走査方向）の光線の角度を制御し、よって原稿面に均一な強度分布の照明光を照射する、導光体の形状を得る。更に、出射側の反対側に反射部を設け、画像読み取り対象領域への光の照射効率を向上させる。
【先行技術文献】
【特許文献】
【０００３】
【特許文献１】特開２００５−２５２６４６号公報（図１）
【発明の概要】
【発明が解決しようとする課題】
【０００４】
本発明は、発光部及び導光部材をそれぞれ単独で交換できるようにすることを課題とする。
【課題を解決するための手段】
【０００５】
請求項１の発明は、被読取面に沿って移動可能な移動体と、前記移動体に取り付けられ、前記被読取面へ向けて発光する発光部と、前記発光部とは独立して別個に前記移動体に取り付けられ、前記発光部からの光を前記被読取面へ向けて導光する導光部材と、前記導光部材から前記被読取面へ導光されて前記被読取面で反射した反射光を検出する検出部と、を備える画像読取装置である。
【０００６】
請求項２の発明は、前記発光部は、前記移動体に着脱可能に取り付けられ、前記導光部材は、前記発光部の着脱方向とは異なる方向へ着脱可能に前記移動体に取り付けられている請求項１に記載の画像読取装置である。
【０００７】
請求項３の発明は、前記発光部を前記移動体に固定するための発光部固定部材と、前記発光部固定部材の固定方向とは異なる方向へ前記導光部材を前記移動体に固定するための導光部材固定部材と、を備える請求項１又は請求項２に記載の画像読取装置である。
【０００８】
請求項４の発明は、請求項１〜３のいずれか１項に記載の画像読取装置と、前記画像読取装置が読み取った画像に基づき、記録媒体に画像を記録する画像記録装置と、を備える画像形成装置である。
【発明の効果】
【０００９】
本発明の請求項１の構成によれば、発光部及び導光部材をそれぞれ単独で交換できる。
【００１０】
本発明の請求項２の構成によれば、発光部及び導光部材をそれぞれ異なる方向から交換できる。
【００１１】
本発明の請求項３の構成によれば、発光部及び導光部材をそれぞれ異なる方向から固定できる。
【００１２】
本発明の請求項４の構成によれば、発光部及び導光部材をそれぞれ単独で交換できる。
【図面の簡単な説明】
【００１３】
【図１】本実施形態に係る画像形成装置の全体構成を示す概略図である。
【図２】本実施形態に係る画像形成ユニットの構成を示す概略図である。
【図３】本実施形態に係る画像読取装置の構成を示す概略図である。
【図４】本実施形態に係る光照射ユニットの構成を示す概略図である。
【図５】本実施形態に係る光照射ユニットの構成を示す斜視図である。
【図６】本実施形態に係る光照射ユニットの各構成部品の構成を示す斜視図である。
【図７】本実施形態に係るブラケット及び光照射部の構成を示す斜視図である。
【図８】本実施形態に係るブラケットに光照射部が取り付けられた取付状態を示す斜視図である。
【図９】本実施形態に係るブラケットが第１キャリッジから取り外された取外状態を示す斜視図である。
【図１０】本実施形態に係るブラケットが第１キャリッジから取り外された取外状態を示す側面図である。
【図１１】本実施形態に係るブラケットが第１キャリッジに取り付けられる途中の状態を示す側面図である。
【図１２】本実施形態に係るブラケットが第１キャリッジへ取り付けられた取付状態を示す側面図である。
【図１３】本実施形態に係る第１キャリッジの分解斜視図である。
【図１４】本実施形態に係る導光部材の拡大斜視図である。
【図１５】本実施形態に係る一方の側板における導光部材を取り付けるための構成を示す拡大斜視図である。
【図１６】本実施形態に係る一方の側板の載せ部に導光部材が載せられた状態を示す拡大斜視図である。
【図１７】本実施形態に係る一方の側板の載せ部に載せられた導光部材が固定された状態を示す拡大斜視図である。
【図１８】本実施形態に係る他方の側板における導光部材を取り付けるための構成を示す拡大斜視図である。
【図１９】本実施形態に係る他方の側板の載せ部に導光部材が載せられた状態を示す拡大斜視図である。
【図２０】本実施形態に係る他方の側板の載せ部に載せられた導光部材が固定された状態を示す拡大斜視図である。
【発明を実施するための形態】
【００１４】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。
【００１５】
本実施形態に係る画像形成装置１０は、図１に示されるように、原稿Ｇの画像を読み取る画像読取装置１１と、用紙等の記録媒体Ｐに画像を記録する画像記録装置２１と、を備えている。画像読取装置１１は、画像形成装置１０の上部に配置され、画像記録装置２１は、画像形成装置１０の下部に配置されている。なお、図中に示す矢印ＵＰは、鉛直方向上方を示している。
【００１６】
画像読取装置１１は、原稿Ｇの画像を読み取り、その読み取った画像を画像信号に変換するように構成されている。画像記録装置２１は、画像読取装置１１が変換した画像信号に基づいて記録媒体Ｐへ画像を記録するように構成されている。以下に、画像読取装置１１及び画像記録装置２１の具体的構成を説明する。
【００１７】
（本実施形態に係る画像記録装置２１の構成）
まず、本実施形態に係る画像記録装置２１の構成について説明する。
【００１８】
画像記録装置２１は、図１に示されるように、用紙等の記録媒体Ｐが収容される複数の記録媒体収容部８０と、記録媒体Ｐに画像を形成する画像形成部２７と、複数の記録媒体収容部８０から画像形成部２７へ記録媒体Ｐを搬送する搬送部２９と、画像形成部２７によって画像が形成された記録媒体Ｐが排出される第１排出部６９、第２排出部７２及び第３排出部７６と、画像記録装置２１の各部の動作を制御する制御部７１と、を備えている。
【００１９】
画像形成部２７は、イエロー（Ｙ）、マゼンタ（Ｍ）、シアン（Ｃ）、ブラック（Ｋ）の各色のトナー画像を形成する画像形成ユニット３０Ｙ、３０Ｍ、３０Ｃ、３０Ｋと、画像形成ユニット３０Ｙ、３０Ｍ、３０Ｃ、３０Ｋで形成されたトナー画像が転写される中間転写体の一例としての中間転写ベルト３２と、画像形成ユニット３０Ｙ、３０Ｍ、３０Ｃ、３０Ｋで形成されたトナー画像を中間転写ベルト３２に転写するための第１転写部材の一例としての第１転写ロール４６と、第１転写ロール４６によって中間転写ベルト３２に転写されたトナー画像を中間転写ベルト３２から記録媒体Ｐへ転写するための第２転写部材の一例としての第２転写ロール６０と、第２転写ロール６０によって中間転写ベルト３２から記録媒体Ｐへ転写されたトナー画像を記録媒体Ｐに定着させる定着装置６４と、を備えている。
【００２０】
画像形成ユニット３０Ｙ、３０Ｍ、３０Ｃ、３０Ｋは、水平方向に対して傾斜した状態で、画像記録装置２１の上下方向中央部に並んで配置されている。また、画像形成ユニット３０Ｙ、３０Ｍ、３０Ｃ、３０Ｋは、図２に示されるように、形成されたトナー画像を保持する像保持体として、一方向（図１における反時計方向）へ回転する感光体ドラム３４をそれぞれ有している。
【００２１】
各感光体ドラム３４の周囲には、感光体ドラム３４の回転方向上流側から順に、感光体ドラム３４を帯電させる帯電装置３６と、帯電装置３６によって帯電した感光体ドラム３４を露光して感光体ドラム３４に静電潜像を形成する露光装置４０と、露光装置４０によって感光体ドラム３４に形成された静電潜像を現像してトナー画像を形成する現像装置４２と、感光体ドラム３４に形成されたトナー画像が中間転写ベルト３２に転写された後に感光体ドラム３４に残留しているトナーを除去する除去装置４４と、が設けられている。
【００２２】
露光装置４０は、制御部７１（図１参照）から送られた画像信号に基づき静電潜像を形成するようになっている。制御部７１から送られる画像信号としては、画像読取装置１１で生成された画像信号や制御部７１が外部装置から取得した画像信号がある。
【００２３】
中間転写ベルト３２は、図１に示されるように、画像形成ユニット３０Ｙ、３０Ｍ、３０Ｃ、３０Ｋの上側に配置されており、中間転写ベルト３２に駆動力を付与する駆動ロール４８と、第２転写ロール６０に対向する対向ロール５０と、中間転写ベルト３２に張力を付与する張力付与ロール５４と、第１従動ロール５６と、第２従動ロール５８とに予め定められた張力で巻き掛けられている。
【００２４】
中間転写ベルト３２は、駆動ロール４８によって回転力が付与され、感光体ドラム３４と接触しながら一方向（図１におけるＡ方向）へ循環移動するようになっている。
【００２５】
中間転写ベルト３２を挟んで駆動ロール４８と対向する対向位置には、中間転写ベルト３２に残留したトナーを除去するための除去装置５２が設けられている。
【００２６】
また、中間転写ベルト３２の上方には、イエロー（Ｙ）、マゼンタ（Ｍ）、シアン（Ｃ）、黒（Ｋ）の各色の現像装置４２へ供給される各色のトナーを貯留するトナーカートリッジ３８Ｙ、３８Ｍ、３８Ｃ、３８Ｋが設けられている。
【００２７】
第１転写ロール４６は、中間転写ベルト３２を挟んで感光体ドラム３４に対向している。第１転写ロール４６と感光体ドラム３４との間が、感光体ドラム３４に形成されたトナー画像が中間転写ベルト３２に転写される第１転写位置とされている。
【００２８】
第２転写ロール６０は、中間転写ベルト３２を挟んで対向ロール５０と対向している。第２転写ロール６０と対向ロール５０との間が、中間転写ベルト３２に転写されたトナー画像が記録媒体Ｐに転写される第２転写位置とされている。
【００２９】
搬送部２９は、記録媒体収容部８０の各々に収容された記録媒体Ｐを送り出す送出ロール８８と、送出ロール８８に送り出された記録媒体Ｐが搬送される搬送路６２と、搬送路６２に沿って配置され送出ロール８８によって送り出された記録媒体Ｐを第２転写位置へ搬送する搬送ロール９０、９２、９４が、設けられている。
【００３０】
定着装置６４は、第２転写位置より搬送方向下流側に配置されており、第２転写位置で転写されたトナー画像を記録媒体Ｐへ定着させる。
【００３１】
定着装置６４よりも搬送方向下流側には、トナー画像が定着された記録媒体Ｐを搬送する搬送ロール６６が設けられている。この搬送ロール６６の搬送方向下流側には、記録媒体Ｐの搬送方向を切り替える切替部材６８が設けられている。この切替部材６８の搬送方向下流側には、切替部材６８によって切り替えられた搬送方向の一方側（図１における右側）に搬送される記録媒体Ｐを第１排出部６９に排出する第１排出ロール７０が設けられている。
【００３２】
また、切替部材６８の搬送方向下流側には、切替部材６８によって切り替えられた搬送方向の他方側（図１における上側）に搬送される記録媒体Ｐを搬送する搬送ロール７３と、搬送ロール７３によって搬送される記録媒体Ｐを第２排出部７２に排出する第２排出ロール７４と、搬送ロール７３によって搬送される記録媒体Ｐを第３排出部７６に排出する第３排出ロール７８と、が設けられている。
【００３３】
定着装置６４の側方には、搬送ロール７３を逆転させることで反転された記録媒体Ｐが搬送される反転搬送路１００が形成されている。反転搬送路１００には、反転搬送路１００に沿って複数の搬送ロール１０２が設けられている。これらの搬送ロール１０２によって搬送された記録媒体Ｐは、搬送ロール９４によって、再度第２転写位置へ送り込まれるようになっている。
【００３４】
次に、本実施形態に係る画像記録装置２１における、記録媒体Ｐへ画像を形成する画像形成動作について説明する。
【００３５】
本実施形態に係る画像記録装置２１では、複数の記録媒体収容部８０のいずれかから送り出された記録媒体Ｐが、搬送ロール９０、９２、９４によって第２転写位置へ送り込まれる。
【００３６】
一方、画像形成ユニット３０Ｙ、３０Ｍ、３０Ｃ、３０Ｋでは、画像読取装置１１又は外部装置から取得した画像信号に基づき露光装置４０が静電潜像を感光体ドラム３４に形成し、その静電潜像に基づくトナー画像が形成される。画像形成ユニット３０Ｙ、３０Ｍ、３０Ｃ、３０Ｋで形成された各色のトナー画像は、第１転写位置にて中間転写ベルト３２に重ねられて、カラー画像が形成される。そして、記録媒体Ｐは、第２転写位置にて中間転写ベルト３２に形成されたカラー画像が転写される。
【００３７】
トナー画像が転写された記録媒体Ｐは、定着装置６４へ搬送され、転写されたトナー画像が定着装置６４により定着される。記録媒体Ｐの片面へのみ画像を形成する場合は、トナー画像が定着された後、記録媒体Ｐは、第１排出部６９、第２排出部７２及び第３排出部７６のいずれかに排出される。
【００３８】
記録媒体Ｐの両面へ画像を形成する場合には、片面に画像が形成された後、記録媒体Ｐは、搬送ロール７３によって反転されて、反転搬送路１００へ送り込まれる。さらに、反転搬送路１００から搬送ロール９４によって、再度第２転写位置へ送り込まれ、反対面側に上記と同様に画像が形成され、記録媒体Ｐの両面へ画像が形成される。以上のように、一連の画像形成動作が行われる。
【００３９】
なお、画像記録装置２１の構成としては、上記の構成に限られず、例えば、中間転写体を有さない直接転写型の画像記録装置やインクジェット方式による画像記録装置でもよく、画像が記録可能な画像記録装置であれば上記構成以外の画像記録装置であってもよい。
【００４０】
（本実施形態に係る画像読取装置１１の構成）
次に、画像読取装置１１の構成について説明する。
【００４１】
画像読取装置１１は、図３に示されるように、原稿Ｇを搬送する原稿搬送装置１２と、原稿搬送装置１２によって搬送される原稿Ｇの画像を読み取る画像読取部１４と、を備えている。原稿搬送装置１２は、画像読取装置１１の上部に配置され、画像読取部１４は、画像読取装置１１の下部に配置されている。
【００４２】
原稿搬送装置１２は、原稿Ｇが収容される原稿収容部１３と、原稿Ｇが排出される原稿排出部３３と、原稿収容部１３から原稿排出部３３へ原稿Ｇを搬送する搬送部１６とを備えている。
【００４３】
搬送部１６は、原稿収容部１３に収容された原稿Ｇを原稿収容部１３から送り出す送出ロール１５と、送出ロール１５に送り出された原稿Ｇを搬送方向下流側へ搬送する複数の搬送ロール２５と、搬送ロール２５に搬送された原稿Ｇを原稿排出部３３に排出する排出ロール３５とを備えて構成されている。複数の搬送ロール２５及び排出ロール３５は、原稿収容部１３から送り出された原稿Ｇが搬送される搬送路２３に沿って配置されている。
【００４４】
画像読取部１４は、原稿搬送装置１２によって搬送されている原稿Ｇと、後述の第１プラテンガラス４３Ａに載せられた原稿Ｇとの両方の画像を読み取るように構成されており、各構成部品が収容される筐体４１を備えている。
【００４５】
この筐体４１の上部には、原稿Ｇが載せられると共にその原稿Ｇの画像を読み取るための光Ｌを透過する第１透過部材の一例として第１プラテンガラス４３Ａと、原稿搬送装置１２によって搬送されている原稿Ｇを読み取るための光Ｌを透過する第２透過部材の一例としての第２プラテンガラス４３Ｂとが設けられている。
【００４６】
原稿搬送装置１２は、画像読取部１４に対して開閉可能に取り付けられており、原稿搬送装置１２が開放された状態において、第１プラテンガラス４３Ａ上に原稿Ｇが載せられるようになっている。
【００４７】
画像読取部１４は、光Ｌを原稿Ｇの被読取面（画像面）へ照射する光照射ユニット１７と、光照射ユニット１７から原稿Ｇの被読取面へ光Ｌが照射されて原稿Ｇの被読取面で反射した反射光Ｌを導く導光ユニット１９と、導光ユニット１９によって導かれた光Ｌの光学像を結像する結像レンズ２４と、結像レンズ２４によって結像された光学像を検出する検出部２６とを備えている。
【００４８】
光照射ユニット１７は、第１プラテンガラス４３Ａに沿って移動可能な移動体の一例としての第１キャリッジ１８と、第１キャリッジ１８に設けられ原稿Ｇに光Ｌを照射する光照射部５９と、第１キャリッジ１８に設けられ原稿Ｇで反射した反射光Ｌを反射する第１ミラー７５とを備えている。なお、光照射ユニット１７の具体的な構成は、後述する。
【００４９】
導光ユニット１９は、第１プラテンガラス４３Ａに沿って移動可能な他の移動体の一例としての第２キャリッジ２２と、第２キャリッジ２２に設けられ第１ミラー７５で反射した反射光Ｌを反射する第２ミラー４５Ａと、第２キャリッジ２２に設けられ第２ミラー４５Ａで反射した反射光Ｌを結像レンズ２４へ反射する第３ミラー４５Ｂとを備えている。
【００５０】
検出部２６は、結像レンズ２４によって結像された光Ｌを光電変換するＣＣＤ（Charge Coupled Device）イメージセンサ等の光電変換素子で構成されている。
【００５１】
検出部２６によって得られた電気信号は、検出部２６と電気的に接続された画像処理装置２８に送られるようになっている。画像処理装置２８ではその電気信号が画像処理され、画像処理された電気信号（画像信号）が制御部７１（図１参照）を介して露光装置４０（図２参照）に送られるようになっている。
【００５２】
（光照射ユニット１７の構成）
次に、光照射ユニット１７の構成について説明する。
【００５３】
光照射ユニット１７は、上述したように、第１プラテンガラス４３Ａに沿って副走査方向（図４におけるＸ方向）に移動可能な移動体の一例としての第１キャリッジ１８を備えている（図４参照）。この第１キャリッジ１８は、原稿Ｇが第１プラテンガラス４３Ａに載せられた状態においては、原稿Ｇの被読取面に沿って移動するようになっている。
【００５４】
第１キャリッジ１８は、図５に示されるように、主走査方向（図５におけるＹ方向）に沿って長尺状に形成されたキャリッジ本体４７と、キャリッジ本体４７の長手方向両端部に配置された一対の支持部材４９とを備えている。この一対の支持部材４９は、画像読取部１４の筐体４１（図３参照）に設けられたフレーム（図示省略）に、第１プラテンガラス４３Ａに沿って副走査方向（図５におけるＸ方向）へ移動可能に支持されている。キャリッジ本体４７及び一対の支持部材４９は、例えば、板金から形成されている。
【００５５】
キャリッジ本体４７は、主走査方向（図５におけるＹ方向）に間隔をあけて対向配置された一対の側板５５Ａ及び側板５５Ｂと、この側板５５Ａ及び側板５５Ｂの間に配置され側板５５Ａ及び側板５５Ｂと一体に形成された側壁３９、第１上壁５１及び第２上壁５３とを備えている。
【００５６】
この第１上壁５１及び第２上壁５３は、副走査方向（図５におけるＸ方向）に間隔をあけて配置されると共に、主走査方向（図５におけるＹ方向）に沿って長尺状に形成されている。また、第１上壁５１及び第２上壁５３は、原稿搬送装置１２を搬送される原稿Ｇの画像を読み取る場合において第２プラテンガラス４３Ｂと対向し、第１プラテンガラス４３Ａに載せられた原稿Ｇの画像を読み取る場合において第１プラテンガラス４３Ａと対向するようになっている。
【００５７】
第２上壁５３は、第１上壁５１側の副走査方向一端部が折り曲げられて、傾斜面５３Ａが形成されている（図４参照）。
【００５８】
なお、側板５５Ａ、５５Ｂの主走査方向の間隔は、原稿Ｇ（図１参照）の主走査方向の画像形成領域の幅よりも大きくなっている。
【００５９】
また、第１キャリッジ１８の側壁３９には、図４に示されるように、原稿Ｇの被読取面へ光Ｌを照射する光照射部５９が、第１キャリッジ１８に取り付けられた他の部品（例えば、後述の導光部材６５）とは独立して着脱可能に第１キャリッジ１８に取り付けられる取付部材の一例としてのブラケット５７を介して取り付けられる。なお、光照射部５９の第１キャリッジ１８への具体的な取付構造は、後述する。
【００６０】
光照射部５９は、図６に示されるように、主走査方向（図６におけるＹ方向）に沿って延びる回路基板５９Ａと、原稿Ｇの被読取面へ向けて発光する発光部の一例としての発光素子６１とを備えて構成されている。この発光素子６１は、主走査方向に沿って一定間隔で回路基板５９Ａに複数配置されている。
【００６１】
発光素子６１としては、例えば、ＬＥＤ（Light Emitting Diode）素子が用いられる。回路基板５９Ａは、その長手方向一端部に接続されたフレキシブル基板６３を介して制御部７１（図１参照）から給電されるようになっている。
【００６２】
なお、複数の発光素子６１は、一定間隔で配置される場合に限られず、例えば、回路基板５９Ａの長手方向両端部において、長手方向中央部よりも間隔が狭くされて配置される構成であっても良い。
【００６３】
また、発光素子６１としては、ＬＥＤに限られず、有機ＥＬ（Electro Luminescence）素子や、無機ＥＬ素子等、他の発光素子を適用してもよい。
【００６４】
ブラケット５７は、図４に示されるように、第１プラテンガラス４３Ａ及び第２プラテンガラス４３Ｂに対して傾斜して各発光素子６１を支持しており、発光素子６１から原稿Ｇに向けて出射された光Ｌは、原稿Ｇの表面に対して斜め方向から入射されるようになっている。
【００６５】
また、発光素子６１の光Ｌの出射側には、図４及び図６に示されるように、発光素子６１からの光Ｌを原稿Ｇへ導く導光部材６５が、発光素子６１の光Ｌの出射面に対向して配置されている。導光部材６５は、主走査方向に沿って長尺に形成されると共に、主走査方向の両端部が側板５５Ａ、５５Ｂで支持されている。なお、導光部材６５の第１キャリッジ１８への具体的な取付構造については、後述する。
【００６６】
導光部材６５は、第１キャリッジ１８の内部に配置されている。具体的には、第１上壁５１の下方側であって、側壁３９よりも後述の反射板７９側に配置されている。
【００６７】
導光部材６５は、例えば、アクリル樹脂で形成されており、発光素子６１から入射された光Ｌを内部で全反射させて、発光素子６１からの光Ｌを原稿Ｇ（図１参照）の読取位置近くまで導くようになっている。
【００６８】
導光部材６５は、上記のように光Ｌを内部で全反射させることで、発光素子６１と対向する面とは反対側の光出射面６５Ａにおいて、発光素子６１からの光Ｌを出射するようになっており、光出射面６５Ａにおける少なくとも主走査方向の光量分布のばらつきが抑えられている。
【００６９】
なお、導光部材６５は、光照射部５９から入射した光Ｌを読取位置近くまで導くため、光量が減衰しにくい材料で成形することが好ましい。導光部材６５の他の材料としては、ポリカーボネート樹脂、ポリイミド樹脂、ガラス等がある。
【００７０】
導光部材６５の光出射面６５Ａには、導光部材６５から出射された光Ｌを拡散させる拡散板６７が接合されている。拡散板６７は、例えば、アクリル樹脂で形成されており、拡散板６７の光Ｌの出射面には、導光部材６５の光出射面６５Ａから入射した光Ｌを拡散させる凹凸（回折パターン）が主走査方向に沿って形成されている。この回折パターンの形状を変化させることより、拡散板６７から出射した光Ｌは、円形又は楕円形に整形される。なお、拡散板６７の他の材料としては、ポリカーボネート樹脂、ポリエステル樹脂、ガラス等がある。
【００７１】
一方、拡散板６７から副走査方向に離れた位置には、拡散板６７から出射された光Ｌの一部を原稿Ｇ（図１参照）へ反射する反射板７９が配置されている。反射板７９は、主走査方向に沿って延びる鏡面体であり、光Ｌの反射面とは反対側の面が第２上壁５３（図４参照）の傾斜面５３Ａに固定されている。
【００７２】
また、導光部材６５及び拡散板６７の下方側には、原稿Ｇで反射された光Ｌを第２キャリッジ２２の第２ミラー４５Ａ（図３参照）に導く第１ミラー７５が設けられている。第１ミラー７５は、側板５５Ａ、５５Ｂ（図４参照）に形成された穴部に両端部が挿通されて保持されている。
【００７３】
なお、光照射ユニット１７は、上記の構成に限られず、上記以外の形状や構成部品で構成されていても良い。
【００７４】
次に、本実施形態に係る画像読取装置１１における、原稿Ｇの画像を読み取る画像読取動作について説明する。
【００７５】
画像読取装置１１では、第１プラテンガラス４３Ａに載せられた原稿Ｇの画像を読み取る場合には、図３に示されるように、光照射ユニット１７の第１キャリッジ１８と導光ユニット１９の第２キャリッジ２２とが、例えば、移動距離２：１の割合で移動方向（矢印Ｘ方向）に移動する。
【００７６】
このとき、光照射ユニット１７の光照射部５９から原稿Ｇの被読取面に光Ｌが照射される。具体的には、図４に示されるように、光照射部５９の各発光素子６１から光Ｌが出射され、出射された光Ｌは、導光部材６５の内部を全反射しながら進み、拡散板６７で拡散される。拡散板６７で拡散された光Ｌの一部は、第２プラテンガラス４３Ｂを通って原稿Ｇに照射され、拡散板６７で拡散された光Ｌのうち反射板７９へ拡散した光Ｌは、反射板７９で反射された後に第２プラテンガラス４３Ｂを通って原稿Ｇに照射される。このように、光照射ユニット１７では、副走査方向の一方側（図４における右側）及び他方側（図４における左側）から原稿Ｇへ光Ｌが照射される。
【００７７】
原稿Ｇに照射された光Ｌは、原稿Ｇの被読取面で反射された後に、第１ミラー７５、第２ミラー４５Ａ、第３ミラー４５Ｂの順に反射されて結像レンズ２４に導かれる。結像レンズ２４に導かれた光Ｌは、検出部２６の受光面に結像される。
【００７８】
なお、第２キャリッジ２２の移動距離が第１キャリッジ１８の移動距離の半分となっていることで、原稿Ｇの被読取面から検出部２６までの光Ｌの光路長が変化しないようになっている。
【００７９】
検出部２６は１次元のセンサであり、副走査方向（第１キャリッジ１８の移動方向）と交差する主走査方向における原稿Ｇの１ライン分を同時に処理している。画像読取部１４では、この主走査方向の１ラインの読み取りが終了した後、副走査方向に第１キャリッジ１８を移動させて原稿Ｇの次のラインを読み取る。これを原稿Ｇの全体に亘って実行することで、１ページの読み取りが完了する。
【００８０】
一方、原稿搬送装置１２によって搬送される原稿Ｇの画像を読み取る場合には、図３に示されるように、第１キャリッジ１８と第２キャリッジ２２が、画像読取部１４の一端部（図３における左端部）に示す実線の読み取り位置に停止した状態で位置する。
【００８１】
この読み取り位置において、まず、搬送されてきた原稿Ｇの１ライン目で反射された光Ｌが結像レンズ２４で結像され、検出部２６によって画像が検出される。即ち、１次元のセンサである検出部２６によって主走査方向の１ライン分を同時に処理した後、搬送される原稿Ｇの次の主走査方向の１ラインが読み取られる。そして、原稿Ｇの後端が第２プラテンガラス４３Ｂの読み取り位置を通過することによって、副走査方向に亘って原稿Ｇの１ページの読み取りが完了する。
【００８２】
（光照射部５９の第１キャリッジ１８への取付構造）
次に、光照射部５９の第１キャリッジ１８への取付構造について説明する。
【００８３】
光照射部５９を第１キャリッジ１８の側壁３９に着脱可能に取り付けるためのブラケット５７は、図４に示されるように、副走査方向に沿った断面が主走査方向の部分的に逆レ字状に形成されており、板体である板金から構成されている。
【００８４】
具体的には、ブラケット５７は、光照射部５９を支持する支持板８５と、支持板８５に一体に形成され第１キャリッジ１８の側壁３９に取り付けられる取付板８６と、を備えて構成されている。
【００８５】
支持板８５には、図７に示されるように、その長手方向に沿って配置された複数（本実施形態では、４つ）のねじ孔８２が形成されている。光照射部５９の回路基板５９Ａには、ねじ孔８２に対応して複数（本実施形態では、４つ）の貫通孔８３が形成されている。図８に示されるように、貫通孔８３に挿し通されたボルト８４がねじ孔８２にねじ込まれることにより、光照射部５９の回路基板５９Ａが支持板８５に固定される。
【００８６】
取付板８６は、支持板８５の長手方向一端側（図９における右上側）に配置された取付板８６Ａと、支持板８５の長手方向他端側（図９における左下側）に配置された取付板８６Ｂと、を備えて構成されている。
【００８７】
取付板８６Ａ、８６Ｂには、ブラケット５７の着脱の際にブラケット５７が他の部品（例えば、導光部材６５）側へ移動するのを規制する規制手段の一例としての爪部９２が、それぞれ形成されている。
【００８８】
取付板８６Ａ、８６Ｂに形成された爪部９２は、それぞれ、ブラケット５７の長手方向中央側に配置されている。すなわち、取付板８６Ａ、８６Ｂに形成された爪部９２は、取付板８６Ａの取付板８６Ｂ側及び取付板８６Ｂの取付板８６Ａ側に形成されている。
【００８９】
爪部９２は、それぞれ、取付板８６Ａ、８６Ｂの下端部から上方に向けて突出しており、第１キャリッジ１８の側壁３９が、爪部９２の先端部から２つの爪部９２と取付板８６Ａ、８６Ｂとの間に差し込まれるようになっている。
【００９０】
２つの爪部９２と取付板８６Ａ、８６Ｂとの間に差し込まれた側壁３９は、爪部９２の基端部に当って、それ以上の差込みが規制される。
【００９１】
また、２つの爪部９２と取付板８６Ａ、８６Ｂとの間に差し込まれた側壁３９は、２つの爪部９２と取付板８６Ａ、８６Ｂとで挟まれ、ブラケット５７の取付板８６Ａ、８６Ｂの厚み方向への移動（図４における導光部材６５側への移動）が規制される。
【００９２】
なお、側壁３９が２つの爪部９２と取付板８６Ａ、８６Ｂとの間に差し込まれた状態において、ブラケット５７の側壁３９の長手方向に沿った移動は、許容される。
【００９３】
また、取付板８６Ａ、８６Ｂには、被保持部の一例としての凸部９１が、取付板８６Ａ、８６Ｂの長手方向中央部にそれぞれ形成されている。
【００９４】
第１キャリッジ１８の側壁３９には、凸部９１を保持する保持部の一例としての切欠部９５が形成されている。切欠部９５は、開口端が側壁３９の下端に形成されると共に、側壁３９の長手方向一方側（図９における左下側）に屈曲している。これにより、切欠部９５は、爪部９２による規制がなされない主走査方向へブラケット５７が移動するように、側壁３９の下端から切欠部９５に進入した凸部９１を、側壁３９の長手方向一方側（図９における左下側）である切欠部９５の奥側へ案内するようになっている。切欠部９５の奥側に案内された凸部９１は、切欠部９５の奥側において切欠部９５の内壁に上下側から挟まれると共に、側壁３９の長手方向一方側への移動が規制された状態に保持されるようになっている。これにより、ブラケット５７が側壁３９に対して位置決めされる。
【００９５】
なお、保持部としては、切欠部９５に限られず、例えば、溝部や長孔であっても良く、被保持部を保持するものであれば、切欠部９５以外の構成であってもよい。また、被保持部としては、凸部９１に限られず、保持部に保持されるものであれば、凸部９１以外の構成であってもよい。また、切欠部９５が、被保持部としてブラケット５７に形成され、凸部９１が保持部として側壁３９に形成される構成であってもよい。
【００９６】
また、第１キャリッジ１８の側壁３９には、発光素子６１を第１キャリッジ１８に固定するための発光部固定部材の一例としてのボルト８７が挿し通される貫通孔９３が形成されている。
【００９７】
取付板８６Ａ、８６Ｂには、貫通孔９３に対応して、ねじ孔８９がブラケット５７の長手方向の端側（凸部９１を挟んで爪部９２とは反対側）に形成されている。凸部９１が切欠部９５に保持された状態において、ねじ孔８９と貫通孔９３とが重なるようになっている。これにより、凸部９１が切欠部９５に保持された状態において、貫通孔９３に挿し通されたボルト８７が、ねじ孔８９にねじ込まれることにより、取付板８６Ａ、８６Ｂが側壁３９に固定される。
【００９８】
一方、支持板８５は、取付板８６に対して傾斜しており、側壁３９に取付板８６が取り付けられることにより、各発光素子６１は、原稿Ｇの被読取面に対して傾斜して配置される。
【００９９】
支持板８５の長手方向中央部には、第１ミラー７５に接触して第１ミラー７５の振動を抑制するための振動抑制部材９６を支持する支持部９７が形成されている。この支持部９７は、支持板８５と一体に形成されており、側壁３９に対して、ブラケット５７と一体に着脱されるようになっている。振動抑制部材９６としては、例えば、スポンジなどの多孔質部材や、ゴムなどの弾性部材などが用いられる。
【０１００】
なお、ブラケット５７は、上記の構成に限られず、上記以外の形状や配置によって構成されていても良い。また、規制手段としては、ブラケット５７に形成される爪部９２に限られず、側壁３９側に形成される部材であっても良く、爪部９２以外の形状や配置によって構成されていても良い。
【０１０１】
次に、ブラケット５７を第１キャリッジ１８の側壁３９に取り付ける取付動作について説明する。
【０１０２】
まず、図１０に示すように、第１キャリッジ１８から取り外されている状態のブラケット５７を、第１キャリッジ１８の側壁３９の下端から上方へ移動させて、図１１に示すように、凸部９１を切欠部９５に差し込むと共に、取付板８６Ａ、８６Ｂと２つの爪部９２との間に側壁３９を差し込む（図４参照）。
【０１０３】
凸部９１が切欠部９５に差し込まれると、図１１に示されるように、凸部９１は、切欠部９５における凸部９１の差込方向奥側（図１１における上側）の内壁に当たって、ブラケット５７の差込方向（上方）への移動が規制される。また、取付板８６Ａ、８６Ｂと２つの爪部９２との間に側壁３９が差し込まれると、図１１に示されるように、側壁３９の下端が、爪部９２の基端部に当たって、ブラケット５７の差込方向（上方）への移動が規制される。
【０１０４】
取付板８６Ａ、８６Ｂと２つの爪部９２との間に側壁３９が差し込まれた状態においては、取付板８６（側壁３９）の厚み方向に沿ったブラケット５７の移動が阻止される一方、取付板８６（側壁３９）の長手方向に沿った移動は、許容される。
【０１０５】
次に、第１キャリッジ１８を側壁３９の長手方向一方側（図１２における左側）に移動させる。この移動により、凸部９１が切欠部９５の奥側に案内され、凸部９１が切欠部９５の奥側で保持される。凸部９１が切欠部９５に保持された状態において、貫通孔９３とねじ孔８９とが重なり、貫通孔９３に挿し通されたボルト８７をねじ孔８９にねじ込むことにより、取付板８６Ａ、８６Ｂが側壁３９に固定される。
【０１０６】
このように、ブラケット５７を第１キャリッジ１８の側壁３９に取り付ける際に、取付板８６（側壁３９）の厚み方向に沿ったブラケット５７の移動が規制されることにより、図４に示されるように、側壁３９から見て、側壁３９の厚み方向側にある他の部品（例えば、導光部材６５）に発光素子６１が接触するのが抑制される。
【０１０７】
（導光部材６５の第１キャリッジ１８への取付構造）
次に、導光部材６５の第１キャリッジ１８への取付構造について説明する。
【０１０８】
導光部材６５は、図１３に示されるように、第１キャリッジ１８の斜め上方から第１上壁５１と第２上壁５３との間を通して側板５５Ａ、５５Ｂに向けて移動されて、側板５５Ａ、５５Ｂに取り付けられるようになっている。
【０１０９】
導光部材６５の長手方向両端部には、図１４に示されるように、導光部材６５の側板５５Ａ、５５Ｂへの取付状態において（図４参照）、発光素子６１に対向する入射面６５Ｂ側に段部１２４が形成されている。段部１２４は、導光部材６５からその長手方向の両端側へ突出しており、発光素子６１に対向する端面１２４Ａを有している。
【０１１０】
また、導光部材６５の側板５５Ａ、５５Ｂへの取付状態において（図１７及び図２０参照）、導光部材６５の側板５５Ａ、５５Ｂに対向する対向面（下面）６５Ｃには、半球状の突起部１２６が、その導光部材６５の長手方向両端部に形成されている。
【０１１１】
一方、側板５５Ａ及び側板５５Ｂには、図１３、図１５及び図１８に示されるように、導光部材６５の長手方向一端部及び他端部の下面６５Ｃがそれぞれ載せられる載せ部１３０、１３２がそれぞれ形成されている。
【０１１２】
図１５及び図１６に示されるように、側板５５Ａには、導光部材６５の長手方向一端部の下面６５Ｃに形成された突起部１２６が嵌り、突起部１２６の移動を規制する円状の貫通孔１３４が形成されている。この貫通孔１３４に突起部１２６が嵌ることにより、導光部材６５の長手方向一端部が位置決めされる。
【０１１３】
また、図１６に示されるように、側板５５Ａには、導光部材６５の長手方向一端部の段部１２４の端面１２４Ａに当って、導光部材６５の発光素子６１側への移動を規制する規制部の一例としてのストッパ１４０が形成されている。
【０１１４】
さらに、図１７に示されるように、側板５５Ａの側面に配置された支持部材４９には、ボルト８７の固定方向とは異なる方向へ導光部材６５を固定する導光部材固定部材の一例としての板バネ部材１４４が設けられている。板バネ部材１４４は、載せ部１３０に載せられた導光部材６５の長手方向一端部を、その載せ部１３０に押し付けて、導光部材６５を側板５５Ａに固定するようになっている。詳細には、板バネ部材１４４は、一端部が支持部材４９にボルト１４８で固定されると共に他端部が導光部材６５の長手方向一端部を載せ部１３０に押し付けて、導光部材６５を固定するようになっている。
【０１１５】
一方、側板５５Ｂには、図１８及び図１９に示されるように、導光部材６５の長手方向他端部の下面６５Ｃに形成された突起部１２６が嵌り、発光素子６１側及びその反対側への突起部１２６の移動を規制する貫通孔１３６が形成されている。貫通孔１３６は、導光部材６５の長手方向に長い長孔になっており、導光部材６５の長手方向に沿った突起部１２６の移動を許容するようになっている。
【０１１６】
これにより、導光部材６５が熱膨張等によりその長手方向に伸び縮みした場合でもあっても、突起部１２６が貫通孔１３６内を移動するようになっている。
【０１１７】
また、図１９に示されるように、側板５５Ｂには、導光部材６５の長手方向他端部の段部１２４の端面１２４Ａに当って、導光部材６５の発光素子６１側への移動を規制する規制部の一例としてのストッパ１４２が形成されている。
【０１１８】
さらに、図２０に示されるように、側板５５Ｂの側面に配置された支持部材４９には、載せ部１３２に載せられた導光部材６５の長手方向他端部を、その載せ部１３２に押し付けて、導光部材６５を側板５５Ｂに固定する板バネ部材１４６が設けられている。詳細には、板バネ部材１４６は、一端部が支持部材４９にボルト１４８で固定されると共に他端部が導光部材６５の長手方向他端部を載せ部１３２に押し付けて、導光部材６５を固定するようになっている。
【０１１９】
次に、導光部材６５を第１キャリッジ１８の側板５５Ａ、５５Ｂに取り付ける取付動作について説明する。
【０１２０】
まず、図１３に示すように、第１キャリッジ１８から取り外されている状態の導光部材６５は、第１キャリッジ１８の斜め上方から第１上壁５１と第２上壁５３との間を通して側板５５Ａ及び側板５５Ｂに向けて移動されて、導光部材６５の長手方向両端部が、側板５５Ａの載せ部１３０及び側板５５Ｂの載せ部１３２に載せられる。
【０１２１】
導光部材６５の長手方向両端部が載せ部１３０及び載せ部１３２に載せられた状態においては、図１６及び図１９に示されるように、導光部材６５の段部１２４の端面１２４Ａがストッパ１４０、１４２に当って、導光部材６５の発光素子６１側への移動が規制される。これにより、導光部材６５が発光素子６１に接触するのが抑制される。
【０１２２】
そして、図１７及び図２０に示されるように、一端部が支持部材４９に固定された板バネ部材１４４、１４６の他端部で導光部材６５の長手方向両端部をそれぞれ、載せ部１３０、１３２に押し付けて、導光部材６５を側板５５Ａ、５５Ｂに固定する。以上のように、導光部材６５が第１キャリッジ１８の側板５５Ａ、５５Ｂに取り付けられる。
【０１２３】
また、導光部材６５を側板５５Ａ、５５Ｂに取り付ける際には、反射板７９が第１キャリッジ１８から取り外された状態となっており、導光部材６５が側板５５Ａ及び側板５５Ｂに取り付けられた後に、反射板７９が第１キャリッジ１８に取り付けられる。なお、導光部材６５の取り付けの際において反射板７９が干渉しない構成であれば、反射板７９を第１キャリッジ１８に取り付けた後に導光部材６５を取り付ける取付手順であってもよい。
【０１２４】
上述したように、光照射部５９の第１キャリッジ１８への取付構造及び導光部材６５の第１キャリッジ１８への取付構造によれば、発光素子６１を有する光照射部５９はブラケット５７を介して第１キャリッジ１８の側壁３９に取り付けられるのに対して、導光部材６５は、発光素子６１とは独立して別個に第１キャリッジ１８の側板５５Ａ、５５Ｂの載せ部１３０、１３２に取り付けられる。したがって、発光素子６１は、第１キャリッジ１８の側壁３９が位置決めの基準となり、導光部材６５は、側板５５Ａ、５５Ｂの載せ部１３０、１３２が位置決めの基準となり、発光素子６１及び導光部材６５は、それぞれ、別部材に位置決めされる。
【０１２５】
また、発光素子６１を有する光照射部５９は、第１キャリッジ１８の下方から上方へ移動されることにより、ブラケット５７を介して側壁３９に取り付けられ、側壁３９から下方へ移動されることにより第１キャリッジ１８から取り外される。すなわち、光照射部５９の着脱方向は、上下方向（図４におけるＡ方向）となっており、第１キャリッジ１８に対して下方側から着脱される。
【０１２６】
これに対して、導光部材６５は、第１上壁５１及び第１上壁５３の間から斜め下方へ移動されることにより側板５５Ａ、５５Ｂに取り付けられ、側板５５Ａ、５５Ｂから斜め上方へ移動されることにより、第１キャリッジ１８から取り外される。すなわち、導光部材６５の着脱方向は、斜め方向（図４におけるＢ方向）となっており、第１キャリッジ１８に対して上方側から着脱される。
【０１２７】
また、発光素子６１を有する光照射部５９はブラケット５７を介して第１キャリッジ１８の側壁３９の厚み方向に沿ってボルト８７が固定されるのに対して、導光部材６５は、側壁３９に対して傾斜する載せ部１３０、１３２に、板バネ部材１４４、１４６によって押し付けられて固定される。すなわち、光照射部５９の固定方向に対して異なる方向に、導光部材６５が第１キャリッジ１８に固定される。
【０１２８】
なお、本実施形態では、導光部材６５から出射される光Ｌは、拡散板６７によって拡散されて均一化されるので、拡散板６７がない構成に比べて、発光素子６１及び導光部材６５の第１キャリッジ１８に対する組み付け精度が要求されない。
【０１２９】
本発明は、上記の実施形態に限るものではなく、種々の変形、変更、改良が可能である。
【符号の説明】
【０１３０】
１０   画像形成装置
１１   画像読取装置
１８   第１キャリッジ（移動体の一例）
２１   画像記録装置
２６   検出部
５７   ブラケット（取付部材の一例）
６１   発光素子（発光部の一例）
６５   導光部材
８７   ボルト（発光部固定部材の一例）
１４４ 板バネ部材（導光部材固定部材の一例）
【図１】
2011024042.tif 000003
【図２】
2011024042.tif 000004
【図３】
2011024042.tif 000005
【図４】
2011024042.tif 000006
【図５】
2011024042.tif 000007
【図６】
2011024042.tif 000008
【図７】
2011024042.tif 000009
【図８】
2011024042.tif 000010
【図９】
2011024042.tif 000011
【図１０】
2011024042.tif 000012
【図１１】
2011024042.tif 000013
【図１２】
2011024042.tif 000014
【図１３】
2011024042.tif 000015
【図１４】
2011024042.tif 000016
【図１５】
2011024042.tif 000017
【図１６】
2011024042.tif 000018
【図１７】
2011024042.tif 000019
【図１８】
2011024042.tif 000020
【図１９】
2011024042.tif 000021
【図２０】
2011024042.tif 000022